(57)【要約】【課題】  空気調和機の各所から放出される廃棄熱を回収し、回収した廃棄熱を廃棄熱の再利用媒体に導くことで、廃棄熱の再利用を可能にし、ヒートアイランド現象の抑制など自然環境の改善に寄与できる空気調和機の廃棄エネルギー回収装置を提供することにある。【解決手段】  空気調和機の室内機、空気調和機の室外機又は室内機と室外機とを繋ぐ管路から放出される廃棄熱を回収する廃棄エネルギー回収手段と、廃棄エネルギー回収手段で回収した廃棄熱を、廃棄熱の再利用媒体に導く誘導手段とを備えることを特徴とする。【選択図】図１
2011190990.tif 000002
【特許請求の範囲】
【請求項１】
空気調和機から放出される廃棄熱を回収し再利用する空気調和機の廃棄エネルギー回収装置において、
該空気調和機の室内機、該空気調和機の室外機又は該室内機と該室外機とを繋ぐ管路から放出される廃棄熱を回収する廃棄エネルギー回収手段と、
該廃棄エネルギー回収手段で回収した廃棄熱を、該廃棄熱の再利用媒体に導く誘導手段とを備えることを特徴とする空気調和機の廃棄エネルギー回収装置。
【請求項２】
前記廃棄エネルギー回収手段が、少なくとも１つの前記室内機、前記室外機又は前記管路の全部又は一部を覆う回収筐体からなることを特徴とする請求項１記載の空気調和機の廃棄エネルギー回収装置。
【請求項３】
前記廃棄エネルギー回収手段が、前記室内機、前記室外機又は前記管路に対向して設けられた熱交換器であることを特徴とする請求項１記載の空気調和機の廃棄エネルギー回収装置。
【発明の詳細な説明】
【技術分野】
【０００１】
本発明は、空気調和機から放出される廃棄熱を回収し再利用する空気調和機の廃棄エネルギー回収装置に関する。
【背景技術】
【０００２】
従来より、例えば特許文献１に示されるように、空気調和機において、室内機のある室内の湿度を保つために、室内機と室外機との間で空気を循環させて、室外機側の湿気を室内に導く加湿機能付き空気調和機がある。この特許文献１の空気調和機では、室外機で湿られた空気を室内機側に戻して室内に排出し、室内を加湿するようにしている。
【先行技術文献】
【特許文献】
【０００３】
【特許文献１】特開平０８−１２８６８１号公報
【発明の概要】
【発明が解決しようとする課題】
【０００４】
しかしながら、従来の空気調和機では、室内機から室外機に出た空気を用いて、その空気を再び室内で活用しているが、本来、室内機から室外機側に送られる空気は、室内で求められる雰囲気と逆の温度の空気であり（冷房であれば暖気、暖房であれば冷気）、そのまま室内に戻すとかえって空気調和機の効率を低下させかねない。確かに、加湿という点では効果はあるものの、廃棄熱の効率的な有効活用という点には考慮されていない。
【０００５】
本発明は、このような事情に鑑みてなされたもので、空気調和機の各所から放出される廃棄熱を回収し、回収した廃棄熱を廃棄熱の再利用媒体に導くことで、廃棄熱の再利用を可能にし、ヒートアイランド現象の抑制など自然環境の改善に寄与できる空気調和機の廃棄エネルギー回収装置を提供することにある。
【課題を解決するための手段】
【０００６】
請求項１記載の空気調和機の廃棄エネルギー回収装置は、空気調和機の室内機、空気調和機の室外機又は室内機と室外機とを繋ぐ管路から放出される廃棄熱を回収する廃棄エネルギー回収手段と、廃棄エネルギー回収手段で回収した廃棄熱を、廃棄熱の再利用媒体に導く誘導手段とを備えることを特徴とする。
【０００７】
請求項２記載の空気調和機の廃棄エネルギー回収装置は、廃棄エネルギー回収手段が、少なくとも１つの室内機、室外機又は管路の全部又は一部を覆う回収筐体からなることを特徴とする。
【０００８】
請求項３記載の空気調和機の廃棄エネルギー回収装置は、廃棄エネルギー回収手段が、室内機、室外機又は管路に対向して設けられた熱交換器であることを特徴とする。
【発明の効果】
【０００９】
請求項１の発明によれば、空気調和機の各所から放出される廃棄熱を回収し、回収した廃棄熱を廃棄熱の再利用媒体に導くことで、廃棄熱の再利用を可能にし、ヒートアイランド現象の抑制など自然環境の改善に寄与できる。
【００１０】
請求項２の発明によれば、廃棄エネルギー回収手段が、少なくとも１つの室内機、室外機又は管路の全部又は一部を覆う回収筐体からなることで、簡易な構造で廃棄熱の回収が可能である。
【００１１】
請求項３の発明によれば、廃棄エネルギー回収手段として熱交換器を用いることで、効率よく廃棄熱の回収が可能である。
【図面の簡単な説明】
【００１２】
【図１】本発明に係る第１の実施例の廃棄エネルギー回収装置の構成図である。
【図２】同第１の実施例の廃棄エネルギー回収装置の説明図である。
【図３】本発明に係る第２の実施例の廃棄エネルギー回収装置の説明図である。
【図４】本発明に係る第３の実施例の廃棄エネルギー回収装置の説明図である。
【発明を実施するための形態】
【００１３】
本発明の形態における空気調和機の廃棄エネルギー回収装置は、空気調和機から放出される廃棄熱を回収し再利用するためのものである。
【実施例１】
【００１４】
図１は、本発明に係る第１の実施例の廃棄エネルギー回収装置の構成図である。図２は、同第１の実施例の廃棄エネルギー回収装置の説明図である。
【００１５】
本実施例１における廃棄エネルギー回収装置１は、空気調和機の室外機６から放出される廃棄熱を回収する廃棄エネルギー回収手段１２と、廃棄エネルギー回収手段１２で回収した廃棄熱を、廃棄熱の再利用媒体４０に導く誘導手段２０とを備えている。空気調和機は、図１及び図２では図示しない室内機と、室外機６と、図１及び図２に図示しない室内機と室外機６とを繋ぐ管路とからなる。この空気調和機は、室内の温度を上げたり下げたりする通常の冷暖房装置である。尚、図２では、ビル等の集合型建築物でよく用いられる大型の室外機６を例示している。
【００１６】
図２に示す廃棄エネルギー回収手段１２は、少なくとも１つの室外機６を全体的に覆うもので、部屋状の構造を有している。そして、その廃棄エネルギー回収手段１２から、ダクト状の誘導手段２０が突出している。この誘導手段２０は、再利用媒体４０まで伸びている。
【００１７】
再利用媒体４０は、廃棄エネルギー回収手段１２で回収した廃棄熱を利用可能な機器や装置で、例えば、給湯器、温水器や冷蔵庫などである。特に、熱の供給や冷却を受けると効果的に稼働するものであればよく、空気調和機により室内から授受された廃棄熱を活用できるものであればよい。
【００１８】
このように構成された本実施例の廃棄エネルギー回収装置１によれば、室外機６から放出される廃棄熱を回収し、回収した廃棄熱を廃棄熱の再利用媒体４０に導くことで、廃棄熱の再利用を可能にし、ヒートアイランド現象の抑制など自然環境の改善に寄与できる。
【実施例２】
【００１９】
尚、実施例１の廃棄エネルギー回収装置１では、廃棄エネルギー回収手段１２が単に室外機６を覆っており、室外機６周辺の空気の対流により廃熱を誘導手段２０に導いて再利用媒体４０に導いているが、強制的に廃熱を導くようにしてもよく、その例を示す。図３は、本発明に係る第２の実施例の廃棄エネルギー回収装置の説明図である。
【００２０】
本実施例２における廃棄エネルギー回収装置２は、実施例１とは異なり家庭用のものである。本実施例における廃棄エネルギー回収手段１４は、室外機７を全体的に覆うもので、ダクト状の誘導手段２２が突出している。この誘導手段２２は、再利用媒体４０まで伸びている。そして、家庭用の室外機７の場合、室外機７から廃棄される廃棄熱を含む風の勢いが弱い場合が多いので、廃棄熱を効率的に回収し誘導手段２２で送るために、廃棄エネルギー回収手段１４の内部にファン２４を設けている。
【００２１】
尚、実施例１及び実施例２の廃棄エネルギー回収手段１２，１４は、いずれも室外機６，７の全体を覆っているが、必ずしも全体である必要はなく、廃棄熱を回収できれば覆うのは室外機６，７の一部であってもよい。
【００２２】
また、室外機６，７を有しない空気調和機もあり、その場合には、室内機の廃棄熱を放出する部分を廃棄エネルギー回収手段で覆い、廃棄熱を回収するようにしてもよい。
【実施例３】
【００２３】
尚、実施例１及び実施例２の廃棄エネルギー回収装置１，２の廃棄エネルギー回収手段１２，１４は、室外機６，７を覆って廃棄熱を含んだ空気を回収ものであったが、廃棄熱自体を直接的に回収するようにしてもよい。図４は、本発明に係る第３の実施例の廃棄エネルギー回収装置の説明図である。
【００２４】
本実施例３における廃棄エネルギー回収装置３の廃棄エネルギー回収手段２８は、熱交換器で、図４に示すように、室外機８のファン８ｂの外側に設けられている。室外機８の内部では、室内機９で回収された廃棄熱を、熱交換器８ａにより室外機８内部に放出し、その廃棄熱をファン８ｂで室外機８の外に排出している。廃棄エネルギー回収手段２８では、この室外機８の外に放出された廃棄熱を熱交換器により回収しているのである。そして、廃棄エネルギー回収手段２８から突出する誘導手段２６により、室外機８の廃棄熱が再利用媒体４０に送られる。
【００２５】
以上のように、空気調和機の各所から放出される廃棄熱を回収し、回収した廃棄熱を廃棄熱の再利用媒体４０に導くことで、廃棄熱の再利用を可能にし、ヒートアイランド現象の抑制など自然環境の改善に寄与できる。また、廃棄エネルギー回収手段２８として熱交換器を用いることで、効率よく廃棄熱の回収が可能である。
【００２６】
尚、熱交換器である廃棄エネルギー回収手段２８を、あらかじめ室外機８の中に組み込むことも可能である。これは、実施例１及び実施例２の廃棄エネルギー回収手段１２，１４でも同様で、室外機６，７の外装を廃棄エネルギー回収手段としてしまうことも可能であり、室外機を伴わない室内機の場合でも、その室内機の外装を廃棄エネルギー回収手段とすることも可能である。
【００２７】
さらに、図４に示すように、室内機９と室外機８とを繋ぐ管路であるダクト５の一部を覆って廃棄エネルギー回収手段３４とし、その廃棄エネルギー回収手段３４からダクト状の誘導手段３２を突出させるようにしてもよい。この廃棄エネルギー回収手段３４は、室内機９と室外機８とを繋ぐ管路から漏れる廃棄熱を回収するものである。尚、図４では、ダクト５の一部を覆うのみであるが、ダクト５の全体を覆うようにしてもよい。
【００２８】
上述の実施例の通り、廃棄エネルギー回収手段が、少なくとも１つの室内機、室外機又は管路の全部又は一部を覆う回収筐体からなることで、簡易な構造で廃棄熱の回収が可能となる。
【産業上の利用可能性】
【００２９】
以上のように、本発明によれば、空気調和機の各所から放出される廃棄熱を回収し、回収した廃棄熱を廃棄熱の再利用媒体に導くことで、廃棄熱の再利用を可能にし、ヒートアイランド現象の抑制など自然環境の改善に寄与できる空気調和機の廃棄エネルギー回収装置を提供することができる。
【符号の説明】
【００３０】
１・・・・廃棄エネルギー回収装置
２・・・・廃棄エネルギー回収装置
３・・・・廃棄エネルギー回収装置
５・・・・ダクト
６・・・・室外機
７・・・・室外機
８・・・・室外機
８ａ・・・熱交換器
８ｂ・・・ファン
９・・・・室内機
１２・・・廃棄エネルギー回収手段
１４・・・廃棄エネルギー回収手段
２０・・・誘導手段
２２・・・誘導手段
２４・・・ファン
２６・・・誘導手段
２８・・・廃棄エネルギー回収手段
３２・・・誘導手段
３４・・・廃棄エネルギー回収手段
４０・・・再利用媒体
【図１】
2011190990.tif 000003
【図２】
2011190990.tif 000004
【図３】
2011190990.tif 000005
【図４】
2011190990.tif 000006